(57)【要約】【課題】使い勝手がよいタリーランプを備えたレンズ装置を提供する。【解決手段】レンズ１８とドライブユニット１６を備え、カメラ本体１２と接続して使用されるレンズ装置１４である。このレンズ装置１４に着脱可能なタリーランプ２６を備えることにより視認性に優れるレンズ装置となる。【選択図】  図１
2006340167.tif 000002
【特許請求の範囲】
【請求項１】
ドライブユニットが装着され、カメラ本体に接続されて使用されるレンズ装置において、
前記レンズ装置に着脱可能なタリーランプを備えてなることを特徴とするレンズ装置。
【請求項２】
前記タリーランプは、前記レンズ装置の先端部分近傍に着脱可能であることを特徴とする請求項１に記載のレンズ装置。
【請求項３】
前記タリーランプの信号ケーブルがコネクタを介して前記ドライブユニットに接続され、該ドライブユニットは前記カメラ本体の制御部にシリアル通信可能に接続されることを特徴とする請求項１又は２に記載のレンズ装置。
【請求項４】
前記タリーランプが前記レンズに入射する被写体光を遮らない位置に配されることを特徴とする請求項１、２又は３のうちいずれか１項に記載のレンズ装置。
【発明の詳細な説明】
【技術分野】
【０００１】
本発明は、レンズ装置に係り、特に、ドライブユニットが装着されたハンディ型のレンズ装置をカメラ本体に接続して全体でテレビカメラとして使用されるレンズ装置に関する。
【背景技術】
【０００２】
業務用のテレビカメラには、一体型のハンディカメラと異なり、ドライブユニットが装着されたハンディ型のＥＮＧレンズ（Electrical News Gathering Lens）装置をカメラ本体に接続されてなるものがある。そして、ハンディーカメラには設けられていないタリーランプを備えているものが一般的である。
【０００３】
このタリーランプ（tally lamp、又は米国ではtally lightとも称呼される）とは、テレビカメラ、ビデオカメラや、ＣＣＵ（カメラコントロールユニット）等に付いているランプで、その機器が使用されているときに点灯されるものである。これにより、出演者（被写体）が自分が今撮られていることが分かり、せりふやアクションのきっかけに使える。その意味で、キューライト（cue light）とも称呼されている。
【０００４】
上記の業務用のテレビカメラにおいて、従来は、ドライブユニットとカメラ本体とを接続する信号ケーブルのコネクタのピンファンクションに制限があるため（たとえば、１２Ｐコネクタ）、タリーランプ用のラインがなく、カメラ本体にのみタリーランプが設けられていた（たとえば、特許文献１参照）。
【特許文献１】特開平９−２７５５１６号公報
【発明の開示】
【発明が解決しようとする課題】
【０００５】
しかしながら、タリーランプを上記のように、出演者（被写体）が自分が今撮られていることが分かるようにする目的で機能させる場合には、カメラ本体にのみタリーランプを設けるのでは、タリーランプの視認性に劣り、使い勝手が悪いと言える。
【０００６】
そして、タリーランプの視認性を良好にするには、タリーランプをレンズの先端部分近傍であり、被写体光を遮らない位置に配されることが望まれる。
【０００７】
本発明はこのような事情に鑑みてなされたもので、上記の問題点が解消され、使い勝手がよいタリーランプを備えたレンズ装置を提供することを目的とする。
【課題を解決するための手段】
【０００８】
前記目的を達成するために、本発明は、ドライブユニットが装着され、カメラ本体に接続されて使用されるレンズ装置において、前記レンズ装置に着脱可能なタリーランプを備えてなることを特徴とするレンズ装置を提供する。
【０００９】
本発明によれば、レンズ装置に着脱可能なタリーランプを備えているので、このタリーランプを視認性の良好な位置に配することが容易であり、使い勝手がよいレンズ装置とできる。
【００１０】
本発明において、前記タリーランプは、前記レンズ装置の先端部分近傍に着脱可能であることが好ましい。このように、レンズ装置のレンズの先端部分近傍に着脱可能なタリーランプを備えていれば、このタリーランプの視認性を非常に良好にでき、使い勝手がよいレンズ装置とできる。
【００１１】
なお、「レンズ装置の先端部分近傍に着脱可能である」とは、着脱位置がレンズの先端部分近傍に限定される意味ではなく、たとえばタリーランプを保持する保持手段の着脱位置がこれ以外の場所（たとえば、ドライブユニット）であっても、タリーランプの位置がレンズ装置のレンズの先端部分近傍にある場合も含む意味を指す。
【００１２】
また、本発明において、前記タリーランプの信号ケーブルがコネクタを介して前記ドライブユニットに接続され、該ドライブユニットは前記カメラ本体の制御部にシリアル通信可能に接続されることが好ましい。このように、タリーランプの信号ケーブルがドライブユニットに接続され、ドライブユニットがカメラ本体の制御部にシリアル通信可能に接続されるのであれば、ドライブユニットとカメラ本体とを接続する信号ケーブルのコネクタのピンファンクションに制限がある場合であってシリアル通信が可能となる。
【００１３】
すなわち、ドライブユニットとカメラ本体とを接続する信号ケーブルのコネクタのピンファンクションに制限がある場合であって、このようにレンズ装置に着脱可能なタリーランプとするには、カメラ本体に制御部を持たせ、両者の間のシリアル通信が可能な状態を現出すればよい。これにより、カメラ本体からタリーランプのオンオフ信号をドライブユニットを介してタリーランプに伝送できる。
【００１４】
また、本発明において、前記タリーランプが前記レンズに入射する被写体光を遮らない位置に配されることが好ましい。このように、タリーランプが被写体光を遮らない位置に配されれば、レンズ装置の使い勝手が一層向上する。
【発明の効果】
【００１５】
本発明によれば、タリーランプを視認性の良好な位置に配することが容易であり、使い勝手がよいレンズ装置とできる。
【発明を実施するための最良の形態】
【００１６】
以下、添付図面に従って本発明に係るレンズ装置の好ましい実施の形態（第１実施形態）について詳説する。
【００１７】
図１は、本発明に係るレンズ装置が適用されるテレビカメラ１０の外観を示す正面図である。図２は、テレビカメラ１０の構成を示すブロック図である。図３は、レンズ装置の先端部分を示す部分断面図である。
【００１８】
図１に示されるように、テレビカメラ１０は、カメラ本体１２とレンズ装置１４より構成される。このレンズ装置１４は、予めドライブユニット１６が装着されたハンディ型のＥＮＧレンズ（Electrical News Gathering Lens）である。
【００１９】
カメラ本体１２とレンズ装置１４とは着脱可能となっている。そして、レンズ装置１４のドライブユニット１６からの信号ケーブル２２の先端のコネクタ２４がカメラ本体１２のソケット（図示略）に着脱可能に接続され、シリアル通信可能となっている。ドライブユニット１６の上面には、不図示のズームリングを回動操作するためのズームシーソーレバー１８が設けられている。
【００２０】
レンズ装置１４の先端部分にはタリーランプ２６が装着されている。このタリーランプ２６の装着状態については後述する。このタリーランプ２６からの信号ケーブル２８の先端のコネクタ３０がドライブユニット１６のソケット（図示略）に着脱可能となっている。
【００２１】
なお、タリーランプ２６は、レンズ装置１４の先端部分以外にも設けることができ、図１では、カメラ本体１２の上部先端部分に後部タリーランプ３４として設けられている。
【００２２】
次に、図２によりテレビカメラ１０の構成について説明する。なお、図１と同一の部材についての詳細な説明は省略する。
【００２３】
ドライブユニット１６にはレンズ制御回路４０とコントロール制御回路４２が設けられており、両者は信号ケーブル４４により接続されている。なお、この信号ケーブル４４の中途にコネクター４６が設けられているが、これは必須の構成ではない。
【００２４】
レンズ制御回路４０にはタリーランプ・オンオフスイッチ４８が接続されており、これによりタリーランプ２６のオンオフ（点滅）が可能となっている。コントロール制御回路４２にはオンオフスイッチ５０が接続されており、これによりレンズ装置１４のオンオフが可能となっている。
【００２５】
カメラ本体１２にはカメラ制御回路（制御部）５２が設けられており、このカメラ制御回路５２にはタリーランプ・オンオフスイッチ５４が接続されており、これによりタリーランプ２６及び後部タリーランプ３４のオンオフ（点滅）が可能となっている。
【００２６】
以上で説明した構成により、テレビカメラ１０としての機能が達成できる。なお、この詳細は、公知の各種テレビカメラと同様であることより、説明を省略する。
【００２７】
次に、本発明の特徴部分である、タリーランプ２６をレンズ装置１４に着脱可能とする構成について図３により説明する。なお、図３において、タリーランプ２６からの信号ケーブル２８の図示は省略されている。
【００２８】
図３に示されるように、レンズ装置１４のレンズ鏡筒１４Ａの先端部分外周にはおねじ１４Ｂが形成されており、このおねじ１４Ｂにフード６０の基端部６０Ａの内周に形成されためねじ６０Ｂが螺合することにより、レンズ装置１４の先端部分にフード６０が固定されている（着脱可能となっている）。
【００２９】
タリーランプ２６は、所定の幅及び厚さをもった横向きｈ字状の固定治具６２の左上部（先端部６２Ａ）に固着されている。そして、固定治具６２はフード６０の先端部６０Ｃに着脱可能となっている。具体的には、固定治具６２の平行に設けられた脚部６２Ｂ、６２Ｃがフード６０の先端部６０Ｃを挟む位置に配され、脚部６２Ｃに設けられたねじ孔６２Ｄに止めボルト６４を螺合させることにより、固定治具６２がフード６０の先端部６０Ｃに固定されている。
【００３０】
以上の構成により、タリーランプ２６が視認性の良好な位置に配されており、また、タリーランプ２６がレンズ装置１４に入射する被写体光を遮らない位置に配されているので、使い勝手がよいレンズ装置１４とできる。
【００３１】
次に、本発明に係るレンズ装置の他の実施の形態（第２実施形態）について説明する。ただし、テレビカメラ１０の外観は既述の図１と同様であり、テレビカメラ１０の構成も図２のブロック図と同様であることより、これらの説明は省略する。
【００３２】
図４は、レンズ装置１４の先端部分を示す部分断面図である。なお、図４において、タリーランプ２６からの信号ケーブル２８の図示は省略されている。
【００３３】
図４に示されるように、レンズ装置１４のレンズ鏡筒１４Ａの先端部分外周にはおねじ１４Ｂが形成されており、このおねじ１４Ｂにフード６０の基端部６０Ａの内周に形成されためねじ６０Ｂが螺合することにより、レンズ装置１４の先端部分にフード６０が固定されている（着脱可能となっている）。
【００３４】
タリーランプ２６は、所定の幅及び厚さをもった横向きｈ字状の固定治具６２の右上部（先端部６２Ａ）に固着されている。そして、固定治具６２はフード６０の先端部６０Ｃに着脱可能となっている。具体的には、固定治具６２の平行に設けられた脚部６２Ｂ、６２Ｃがフード６０の先端部６０Ｃを挟む位置に配され、脚部６２Ｃの内側（図では下側）に設けられた板ばね６２Ｅの付勢力により、固定治具６２がフード６０の先端部６０Ｃに固定されている。
【００３５】
以上の構成により、タリーランプ２６が視認性の良好な位置に配されており、また、タリーランプ２６がレンズ装置１４に入射する被写体光を遮らない位置に配されているので、使い勝手がよいレンズ装置１４とできる。
【００３６】
次に、本発明に係るレンズ装置の更に他の実施の形態（第３実施形態）について説明する。ただし、テレビカメラ１０の外観は既述の図１と同様であり、テレビカメラ１０の構成も図２のブロック図と同様であることより、これらの説明は省略する。
【００３７】
図５は、レンズ装置１４の先端部分を示す部分断面図である。なお、図５において、タリーランプ２６からの信号ケーブル２８の図示は省略されている。
【００３８】
図５に示されるように、レンズ装置１４のレンズ鏡筒１４Ａの先端部分外周にはおねじ１４Ｂが形成されており、このおねじ１４Ｂにフード６０の基端部６０Ａの内周に形成されためねじ６０Ｂが螺合することにより、レンズ装置１４の先端部分にフード６０が固定されている（着脱可能となっている）。
【００３９】
タリーランプ２６は、所定の幅及び厚さをもった固定部６４Ａと移動部６４Ｂとよりなり、これらが合体した際に横向きｈ字状となる固定治具６４のうちの移動部６４Ｂの右上部（先端部）に固着されている。この移動部６４Ｂは、バー部材であり下面の略左半分に磁石６４Ｃが固着されている。
【００４０】
一方、固定治具６４のうちの固定部６４Ａは、略コ字状部材であり、フード６０の先端部６０Ｃに嵌合固定できるサイズに形成されている。また、固定部６４Ａの上面には磁性材料（たとえば、鉄）６４Ｄが固着されている。これにより、タリーランプ２６（固定治具６４の移動部６４Ｂ）はフード６０の先端部６０Ｃ（固定治具６４の固定部６４Ａ）に着脱可能となっている。なお、固定治具６４のうちの固定部６４Ａに磁性材料６４Ｄを設けず、固定部６４Ａの全体を磁性材料で形成する形態であってもよい。
【００４１】
以上の構成により、タリーランプ２６が視認性の良好な位置に配されており、また、タリーランプ２６がレンズ装置１４に入射する被写体光を遮らない位置に配されているので、使い勝手がよいレンズ装置１４とできる。
【００４２】
次に、本発明に係るレンズ装置の更に他の実施の形態（第４実施形態）について説明する。ただし、テレビカメラ１０の外観は既述の図１と同様であり、テレビカメラ１０の構成も図２のブロック図と同様であることより、これらの説明は省略する。
【００４３】
図６は、レンズ装置１４の先端部分を示す部分断面図である。なお、図６において、タリーランプ２６からの信号ケーブル２８の図示は省略されている。
【００４４】
図６に示されるように、レンズ装置１４のレンズ鏡筒１４Ａの先端部分外周にはおねじ１４Ｂが形成されており、このおねじ１４Ｂにフード６０の基端部６０Ａの内周に形成されためねじ６０Ｂが螺合することにより、レンズ装置１４の先端部分にフード６０が固定されている（着脱可能となっている）。
【００４５】
タリーランプ２６は、円筒状部材である固定治具６６の端面（先端面）６６Ａに固着されている。そして、固定治具６６はフード６０の先端部６０Ｃに着脱可能となっている。具体的には、フード６０の先端部６０Ｃの内周にはめねじ６６Ｄが形成されており、固定治具６６の外周にはこれと螺合するおねじ６６Ｂが形成されており、固定治具６６はフード６０に着脱可能となっている。
【００４６】
以上の構成により、タリーランプ２６が視認性の良好な位置に配されており、また、タリーランプ２６がレンズ装置１４に入射する被写体光を遮らない位置に配されているので、使い勝手がよいレンズ装置１４とできる。
【００４７】
次に、本発明に係るレンズ装置の更に他の実施の形態（第５実施形態）について説明する。ただし、テレビカメラ１０の外観は既述の図１と同様であり、テレビカメラ１０の構成も図２のブロック図と同様であることより、これらの説明は省略する。
【００４８】
図７は、レンズ装置１４の先端部分を示す部分断面図である。図７に示されるように、レンズ装置１４のレンズ鏡筒１４Ａの先端部分外周にはおねじ１４Ｂが形成されており、このおねじ１４Ｂにフード６０の基端部６０Ａの内周に形成されためねじ６０Ｂが螺合することにより、レンズ装置１４の先端部分にフード６０が固定されている（着脱可能となっている）。
【００４９】
フード６０の先端部の一部より内側に張り出し部６０Ｄが延設されており、この張り出し部６０Ｄにタリーランプ２６が固着されている。
【００５０】
以上の構成により、タリーランプ２６が視認性の良好な位置に配されており、また、タリーランプ２６がレンズ装置１４に入射する被写体光を遮らない位置に配されているので、使い勝手がよいレンズ装置１４とできる。
【００５１】
次に、本発明に係るレンズ装置の更に他の実施の形態（第６実施形態）について説明する。ただし、テレビカメラ１０の外観は既述の図１と同様であり、テレビカメラ１０の構成も図２のブロック図と同様であることより、これらの説明は省略する。
【００５２】
図８は、レンズ装置１４の先端部分を示す図であり、（Ａ）は、部分断面図であり、（Ｂ）は、右側面図である。なお、図８において、タリーランプ２６からの信号ケーブル２８の図示は省略されている。
【００５３】
図８（Ａ）に示されるように、タリーランプ２６は、円筒状部材である固定治具６８の端面（先端面）６８Ａに固着されている。そして、固定治具６８はレンズ装置１４のレンズ鏡筒１４Ａの先端部に着脱可能となっている。具体的には、レンズ鏡筒１４Ａの先端部の内周にはめねじ１４Ｃが形成されており、固定治具６８の外周にはこれと螺合するおねじ６８Ｂが形成されており、固定治具６８はレンズ鏡筒１４Ａ（レンズ装置１４）に着脱可能となっている。
【００５４】
また、図８（Ｂ）に示されるように、タリーランプ２６は、固定治具６８の端面（先端面）６８Ａに複数個設けられている。具体的には、固定治具６８の端面６８Ａの幅方向の略中央部に、円周方向に等間隔をもって８個設けられている。
【００５５】
以上の構成により、タリーランプ２６が視認性の良好な位置に配されており、また、タリーランプ２６がレンズ装置１４に入射する被写体光を遮らない位置に配されているので、使い勝手がよいレンズ装置１４とできる。
【００５６】
次に、本発明に係るレンズ装置の更に他の実施の形態（第７実施形態）について説明する。ただし、テレビカメラ１０の構成は図２のブロック図と同様であることより、この説明は省略する。
【００５７】
図９は、レンズ装置１４の外観を示す正面図である。なお、図９において、タリーランプ２６からの信号ケーブル２８の図示は省略されている。
【００５８】
図９に示されるように、タリーランプ２６は、固定治具７０の先端に固着されている。そして、固定治具７０はドライブユニット１６の側面に着脱可能となっている。
【００５９】
具体的には、固定治具７０は、バー状の部材であり、その基端部がねじ部材７２によりドライブユニット１６の側面に固定されている（ねじ部材７２を固定治具７０の基端部の貫通孔（図示略）に挿通させ、ドライブユニット１６の側面に設けられたねじ穴に螺合する）。
【００６０】
以上の構成により、タリーランプ２６が視認性の良好な位置に配されており、また、タリーランプ２６がレンズ装置１４に入射する被写体光を遮らない位置に配されているので、使い勝手がよいレンズ装置１４とできる。
【００６１】
次に、本発明に係るレンズ装置の更に他の実施の形態（第８実施形態）について説明する。ただし、テレビカメラ１０の構成は図２のブロック図と同様であることより、この説明は省略する。
【００６２】
図１０は、レンズ装置１４の外観を示す正面図である。なお、図１０において、タリーランプ２６からの信号ケーブル２８の図示は省略されている。
【００６３】
図１０に示されるように、タリーランプ２６は、固定治具７４の先端に固着されている。そして、固定治具７４はレンズ装置１４のレンズ鏡筒１４Ａの下面に着脱可能となっている。
【００６４】
具体的には、固定治具７４は、バー状の部材であり、その基端部がねじ部材７６によりレンズ装置１４のレンズ鏡筒１４Ａの下面に固定されている（ねじ部材７６を固定治具７４の基端部の貫通孔（図示略）に挿通させ、レンズ装置１４のレンズ鏡筒１４Ａの下面に設けられたねじ穴に螺合する）。
【００６５】
以上の構成により、タリーランプ２６が視認性の良好な位置に配されており、また、タリーランプ２６がレンズ装置１４に入射する被写体光を遮らない位置に配されているので、使い勝手がよいレンズ装置１４とできる。
【００６６】
次に、本発明に係るレンズ装置の更に他の実施の形態（第９実施形態）について説明する。ただし、テレビカメラ１０の外観は既述の図１と同様であり、テレビカメラ１０の構成も図２のブロック図と同様であることより、これらの説明は省略する。
【００６７】
図１１は、テレビカメラ１０を雲台に載せて使用する際の雲台のパン棒の外観を示す図である。このパン棒８０は、雲台を操作するとともに、ズームデマンドやフォーカスデマンド等の操作を行うためのものである。
【００６８】
図１１に示されるように、パン棒８０は、基端部より、グリップ部８０Ａ、デマンド操作部８０Ｂ、タリーランプ２６が固着された先端部８０Ｃの順で構成されている。そして、先端部８０Ｃより信号ケーブル８２がレンズ装置１４（図示略）に向けて延設されている。
【００６９】
以上の構成により、タリーランプ２６が他の撮影者等からの視認性の良好な位置に配されているので、使い勝手がよいテレビカメラ１０とできる。
【００７０】
以上、本発明に係るレンズ装置の実施形態について説明したが、本発明は上記実施形態に限定されるものではなく、各種の態様が採り得る。
【図面の簡単な説明】
【００７１】
【図１】本発明に係るレンズ装置が適用されるテレビカメラの外観を示す正面図
【図２】テレビカメラの構成を示すブロック図
【図３】本発明の実施形態のレンズ装置の先端部分を示す部分断面図
【図４】本発明の他の実施形態のレンズ装置の先端部分を示す部分断面図
【図５】本発明の更に他の実施形態のレンズ装置の先端部分を示す部分断面図
【図６】本発明の更に他の実施形態のレンズ装置の先端部分を示す部分断面図
【図７】本発明の更に他の実施形態のレンズ装置の先端部分を示す部分断面図
【図８】本発明の更に他の実施形態のレンズ装置の先端部分を示す図
【図９】本発明の更に他の実施形態のレンズ装置の外観を示す正面図
【図１０】本発明の更に他の実施形態のレンズ装置の外観を示す正面図
【図１１】本発明の更に他の実施形態のレンズ装置の外観を示す正面図
【符号の説明】
【００７２】
１０…テレビカメラ、１２…カメラ本体、１４…レンズ装置、１６…ドライブユニット、１８…ズームシーソーレバー、２２、２８…信号ケーブル、２４、３０…コネクタ、２６…タリーランプ、６０…フード、６２…固定治具
【図１】
2006340167.tif 000003
【図２】
2006340167.tif 000004
【図３】
2006340167.tif 000005
【図４】
2006340167.tif 000006
【図５】
2006340167.tif 000007
【図６】
2006340167.tif 000008
【図７】
2006340167.tif 000009
【図８】
2006340167.tif 000010
【図９】
2006340167.tif 000011
【図１０】
2006340167.tif 000012
【図１１】
2006340167.tif 000013